(57)【要約】      （修正有）【課題】購入を希望するユーザー自身が行う作業で載置架台の特定作業を行い、一連の耐震計算書や防振計算書の作成作業も自動的に行う。【解決手段】空気調和機の載置架台を選定するコンピュータ１００、２００は、空気調和機の室外機の寸法、重量をそのメーカー名、品番又は製品名と紐づけた状態で記憶する第１のデータベース部１１０と、空気調和機を載置する載置架台の寸法、耐荷重性能、防振性能をその品番又は製品名と紐づけた状態で記憶する第２のデータベース部１２０と、空気調和機の品番又は製品名を入力する入力部２１０と、この入力部２１０から入力されたメーカー名、品番又は製品名に基づいて特定された空気調和機の室外機にマッチングする載置架台を選定するとともに、特定された室外機に選定された載置架台を使用した場合の耐震計算書、防振計算書、納入仕様書の少なくともいずれか一方を演算する演算部１３０とを備えている。【選択図】図１
2020177400.tif 000002
【特許請求の範囲】
【請求項１】
空気調和機の室外機の寸法、重量、重心位置をそのメーカー名、品番又は製品名と紐づけた状態で記憶する第１のデータベース部と、空気調和機を載置する載置架台の寸法、耐荷重性能、防振性能をその品番又は製品名と紐づけた状態で記憶する第２のデータベース部と、空気調和機の品番又は製品名を入力する入力部と、この入力部から入力されたメーカー名、品番又は製品名に基づいて特定された空気調和機の室外機にマッチングする載置架台を選定するとともに、特定された室外機に選定された載置架台を使用した場合の耐震計算書、防振計算書の少なくともいずれか一方を演算する演算部とを具備したことを特徴とする空気調和機の室外機の載置架台の選定装置。
【請求項２】
前記請求項１記載の室外機の載置架台の選定装置において、入力部はインターネットに接続されたユーザーのコンピュータであることを特徴とする空気調和機の室外機の載置架台の選定装置。
【請求項３】
入力部から入力したユーザーを特定するＩＤがインターネットを介して演算部に送出され、特定されたユーザーに対して選定された載置架台の納入仕様書、耐震計算書又は防振計算書を出力することを特徴とする請求項２記載の空気調和機の室外機の載置架台の選定装置。
【発明の詳細な説明】
【技術分野】
【０００１】
本発明は、空気調和機の室外機に基づいて、それを載置する載置架台を自動的に選定する選定装置に関する。
【背景技術】
【０００２】
空気調和機の室外機は、各メーカーによってその寸法や重量で多種多様のものがある。一方、室外機を載置する載置架台は、空気調和機のメーカーが製造、販売するのみならず、載置架台専用メーカーが製造、販売するものがある。
載置架台専用メーカーは、各メーカーの空気調和機の室外機に対応した多種多様の載置架台を準備する必要があった。
【０００３】
載置架台専用メーカーにあっては、ユーザーから知らされた空気調和機の室外機に対応した自社の載置架台を特定し、その特定された載置架台の寸法、耐荷重性能、防振性能やその他のスペックとともに、納入価格や納入日時が入った納入仕様書をユーザーに対して提示していた。
一方、ユーザーは、提示された納入仕様書に基づいて、載置架台の購入の可否を決定している。
【０００４】
空気調和機を公共施設に設置するユーザーは、設置する空気調和機の室外機を載置する載置架台の耐震計算書、防振計算書を公共施設の施主に提出することが一般的となっている。
このため、公共施設に設置される空気調和機の設置工事に際しては、載置架台専業メーカーは耐震計算書や防振計算書も作成する必要があった。
【０００５】
このような住宅機材を特定する技術としては、特開２００２−０２４３２２号公報に示すような『住宅機材の品番確定システム及び故障診断システム』がある。
【０００６】
【特許文献１】特開２００２−０２４３２２号公報
【発明の開示】
【発明が解決しようとする課題】
【０００７】
しかしながら、空気調和機の室外機には多種多様のものがあり、載置架台の専業メーカーは、対応する載置架台の特定をすべて手作業で行っているのが実状である。
その特定作業、すなわちユーザーから知らされた空気調和機に基づいて室外機を特定する作業、特定された室外機に対応した載置架台を特定する作業に付随して特定された載置架台の寸法、耐荷重性能、防振性能等の各種スペックを特定する作業、特定された載置架台の納入仕様書の作成、場合によっては耐震計算書や防振計算書の作成という一連の作業も手作業で行っているのが実状である。
かかる作業は手間と時間のかかるものであり、これらの作業を行った後にユーザーが載置架台を購入しなかった場合にはまったくの無駄な作業となるおそれがある。
【０００８】
本発明は、上記事情に鑑みて創案されたもので、載置架台の専業メーカーだけではなく、購入を希望するユーザー自身も行うことができる作業で、多種多様の空気調和機の室外機に対応した載置架台の特定作業を行うことができ、しかも、公共施設に設置される空気調和機には、必須の耐震計算書や防振計算書の作成という一連の作業も自動的に行うことができる空気調和機の室外機の載置架台の選定装置を提供することを目的としている。
【課題を解決するための手段】
【０００９】
本発明に係る空気調和機の室外機の載置架台の選定装置は、空気調和機の室外機の寸法、重量、重心位置をそのメーカー名、品番又は製品名と紐づけた状態で記憶する第１のデータベース部と、空気調和機を載置する載置架台の寸法、耐荷重性能、防振性能をその品番又は製品名と紐づけた状態で記憶する第２のデータベース部と、空気調和機の品番又は製品名を入力する入力部と、この入力部から入力されたメーカー名、品番又は製品名に基づいて特定された空気調和機の室外機にマッチングする載置架台を選定するとともに、特定された室外機に選定された載置架台を使用した場合の耐震計算書、防振計算書の少なくともいずれか一方を演算する演算部とを備えている。
【発明の効果】
【００１０】
本発明に係る空気調和機の室外機の載置架台の選定装置は、空気調和機の品番等を入力部から入力するだけで、それに対応した載置架台が特定されるとともに、必要な耐震計算書、防振計算書のうち少なくともいずれか一方が自動的に演算されるので、いままで室外機の載置架台の専業メーカーが手作業で行っていた作業を完全に自動化できるので、非常に便利である。
【図面の簡単な説明】
【００１１】
【図１】本発明の実施の形態に係る空気調和機の室外機の載置架台の選定装置の概略的システム図である。
【図２】本発明の実施の形態に係る空気調和機の室外機の載置架台の選定装置で用いられる入力フォーマットの概略的説明図である。
【図３】本発明の実施の形態に係る空気調和機の室外機の載置架台の選定装置で用いられるマッチング結果フォーマットの概略的説明図である。
【図４】本発明の実施の形態に係る空気調和機の室外機の載置架台の選定装置で用いられる納品仕様書の概略的説明図である。
【図５】本発明の実施の形態に係る空気調和機の室外機の載置架台の選定装置で用いられる防振計算書の概略的説明図である。
【図６】本発明の実施の形態に係る空気調和機の室外機の載置架台の選定装置で用いられる耐震計算書の概略的説明図である。
【発明を実施するための形態】
【００１２】
本発明の実施の形態に係る空気調和機の室外機の載置架台の選定装置は、空気調和機の室外機の寸法、重量、重心位置をそのメーカー名、品番又は製品名と紐づけた状態で記憶する第１のデータベース部１１０と、空気調和機を載置する載置架台の寸法、耐荷重性能、防振性能をその品番又は製品名と紐づけた状態で記憶する第２のデータベース部１２０と、空気調和機の品番又は製品名を入力する入力部２１０と、この入力部２１０から入力されたメーカー名、品番又は製品名に基づいて特定された空気調和機の室外機にマッチングする載置架台を選定するとともに、特定された室外機に選定された載置架台を使用した場合の耐震計算書、防振計算書の少なくともいずれか一方を演算する演算部１３０とを備えている。
【００１３】
まず、第１のデータベース部１１０、第２のデータベース部１２０、演算部１３０は、空気調和機の室外機の載置架台の専業メーカーのインターネットに接続されたコンピュータ１００内のものである。
一方、この空気調和機の室外機の載置架台の選定装置は、オンライン上で作動するものであって、入力部２１０はインターネットに接続されたユーザーのコンピュータ２００の入力装置が使用される。
【００１４】
以下の説明では、例えば、空気調和機メーカーであるＡ社が発売している『Ａ１』という製品名の空気調和機があり、その品番を『Ａ１Ｈ』とする。
すなわち、Ｂ社の製品名がＢ１という空気調和機の品番はＢ１Ｈとなる。
また、以下の説明では空気調和機メーカーはＡ社、Ｂ社及びＣ社の三社が存在するものとする。
そして、Ａ社が過去に販売していた及び現時点で販売中の空気調和機の製品名はＡ１〜Ａ１０とし、それぞれの品番はＡ１Ｈ〜Ａ１０Ｈとする。
同様に、Ｂ社が過去に販売していた及び現時点で販売中の空気調和機の製品名はＢ１〜Ｂ５とし、それぞれの品番はＢ１Ｈ〜Ｂ５Ｈとし、Ｃ社が過去に販売していた及び現時点で販売中の空気調和機の製品名はＣ１〜Ｃ７とし、それぞれの品番はＣ１Ｈ〜Ｃ７Ｈとする。
【００１５】
品番Ａ１Ｈに対応する載置架台は、品番ＸＡ１Ｈ、ＹＡ１Ｈ、ＺＡ１Ｈであるとする。品番ＸＡ１Ｈは後述する平置きタイプ、品番ＹＡ１Ｈは後述する壁掛けタイプ、品番ＺＡ１Ｈは後述する傾斜面設置タイプであるとする。
載置架台の品番は、最初にタイプを示すＸＹＺのいずれかの文字と、空気調和機の品番を組み合わせたものとする。
なお、上述した空気調和機の品番、製品名、載置架台の品番Ｙは本明細書上だけのものであり、実際には各社のフォーマットに応じて決定されるものであることはいうまでもない。
【００１６】
前記第１のデータベース部１１０には、空気調和機メーカーが過去に発売した及び現時点で売中の空気調和機の室外機の寸法、重量、重心位置をそのメーカー名、品番又は製品名と紐づけた状態で格納されている。
この第１のデータベース部１１０は、空気調和機の室外機の設置に必要なスペック、すなわち室外機の寸法、重量の他に重心位置や配管との接続位置等の各種スペックをメーカー名、製品名及び品番と紐づけた状態で記憶しているのである。
【００１７】
一方、前記第２のデータベース部１２０は、空気調和機の室外機を載置する載置架台の専業メーカーが現時点で供給可能な載置架台の寸法、耐荷重性能、防振性能をその品番又は製品名と紐づけた状態で記憶している。
すなわち、この第２のデータベース部１２０は、載置架台の専業メーカーが供給可能なすべての載置架台の各種スペック、すなわち載置架台の寸法、耐荷重性能、防振性能や設置可能場所等を品番及び製品名と紐づけた状態で記憶しているのである。
なお、ここで設置可能箇所とは、載置架台を設置可能な場所を意味し、例えば平面地に設置する平置き、壁に掛ける壁掛け、勾配のある傾斜面に設置する傾斜面置き等がある。各載置架台は、平置きタイプ、壁掛けタイプ、傾斜面設置タイプ等に大別される。
【００１８】
入力部２１０は、室外機の載置架台の購入を希望するユーザーのコンピュータの入力装置であり、そのディスプレイ２２０には図２に示すような入力フォーマット７００が表示される。
この入力フォーマット７００には、ユーザー自身を特定するＩＤ入力部７１０、購入を希望する載置架台に載置する空気調和機（以下、『希望調和機』とする）のメーカー名を入力するメーカー名入力部７２０、希望調和機の品番を入力する品番入力部７３０、希望調和機の製品名を入力する製品名入力部７４０とがある。
前記メーカー名入力部７２０、品番入力部７３０、製品名入力部７４０は、いわゆるフルダウンメニュー方式となっており、最初にメーカー名入力部７２０にメーカー名ＡやＢ等を入力すると、以下の品番入力部７３０や製品名入力部７４０は、メーカー名入力部７２０で入力したメーカーの品番や製品名のみがプルダウンメニューに表示されるようになっている。
なお、品番入力部７３０と製品名入力部７４０とでは、いずれか一方を入力すればよいと設定することも可能である。
【００１９】
また、この入力フォーマット７００には、希望する載置架台のタイプを入力する希望タイプ入力部７５１がある。この希望タイプ入力部７５１は、室外機を設置する場所によって載置架台のタイプ（例えば、平置きタイプ、壁掛けタイプ、傾斜面設置タイプ）が異なるので、その希望を入力するものである。
この希望タイプ入力部７５１は、いわゆるフルダウンメニュー方式となっており、例えば、平置きタイプ、壁掛けタイプ、傾斜面設置タイプ等から選択するようになっている。      
【００２０】
なお、図２においては、ＩＤがＡＢ１２３４であるユーザーが、Ａ社の品番Ａ１Ｈ、製品面Ａ１に対応し、かつ壁掛けタイプの載置架台を購入希望していることになっている。
【００２１】
さらには、この入力フォーマット７００には、購入を希望する載置架台の台数を入力する希望台数入力部７５０、希望する納品日を記入する納品希望日入力部７６０、希望する納品場所を記入する納品希望場所入力部７７０がある。
前記希望台数入力部７５０、希望する納品場所を記入する納品希望場所入力部７７０は、いわゆるフルダウンメニュー方式となっている。
また、前記納品希望日入力部７６０は、年月日を直接入力可能とする他、カレンダーから選択することも可能となっている。
【００２２】
さらには、この入力フォーマット７００には、載置架台の耐震計算を行うか否かを選択する耐震計算要否入力部７８０、耐震計算を行った場合に耐震計算書をユーザーのコンピュータ２００のディスプレイ２２０に表示するか否かを選択する耐震計算書表示要否入力部７８１、載置架台の防振計算を行うか否かを選択する防振計算要否入力部７９０、防振計算を行った場合に防振計算書をユーザーのコンピュータ２００のディスプレイ２２０に表示するか否かを選択する防振計算書表示要否入力部７９１がある。
【００２３】
ユーザーは、自身のコンピュータ２００の入力部２１０を使って、入力フォーマット７００に必要事項を入力する。
前記演算部１３０は、前記入力部２１０からインターネットを介して入力された各種のデータ、特にメーカー名、品番又は製品名に基づいて、前記第１のデータベース部１１０を用いて空気調和機の室外機を特定する。
さらに、この演算部１３０は、特定された室外機の各種スペックから、特定された室外機にマッチングした載置架台を選定する。
この時、特定された室外機にマッチングする載置架台が複数種類ある場合には、すべての載置架台が選定される。
【００２４】
演算部１３０は、これらの演算が完了したならば、ユーザーのコンピュータ２００のディスプレイ２２０に図３に示すようなマッチング結果フォーマット８００として演算結果を表示させる。
すなわち、ユーザーのコンピュータ２００のディスプレイ２２０には、マッチング結果フォーマット８００として選定された載置架台の品番（すなわち、Ａ社の品番Ａ１Ｈの空気調和機の室外機に対応した壁掛けタイプの載置架台であるの品番ＹＡ１Ｈ）が架台品番表示部８１０に、製品名が架台製品名表示部８２０にそれぞれ表示される。また、それと同時に、納品台数が納品台数表示部８３０に表示される。
希望納品日が特定されていたならば、納品可能な納品予定日が納品日表示部８４０に表示される。同様に希望する納品場所が特定されていたならば、納品場所が納品場所表示部８５０に表示される。
これらの納品予定日や納品場所に関しては、マッチングした載置架台が複数種類あった場合には、それぞれの載置架台についての納品予定日や納品場所がマッチング結果フォーマット８００に表示される。
【００２５】
さらに、ユーザーによって耐震計算、防振計算等の計算が要求されており、かつ計算結果の表示が要求されていた場合には、演算部１３０がこれらの計算を行い、計算結果としての耐震計算書、防振計算書がマッチング結果フォーマット８００にに表示される。すなわち、耐震計算書は耐震計算表示部８６０に、防振計算書は防振計算表示部８７０にそれぞれ表示される。
耐震計算や防振計算が要求されていなかった場合には、演算部１３０はそれらの計算を行わないので、耐震計算表示部８６０や防振計算表示部８７０は空白のままである。
【００２６】
防振計算書の様式の一例は図５に、耐震計算書の様式の一例は図６に示している。
例えば、防振計算表示部８７０には、図５に示すような防振計算書が表示される。
この防振計算書では、選択された載置架台に応じて、機器の回転数、防振材総静バネ定数、防振材総動バネ定数、各防振材たわみ量、各防振材固有振動数、振動減衰量等の諸スペックの演算結果が表示される。
【００２７】
また、耐震計算表示部８６０には、図６に示すような耐震計算書が表示される。
この耐震計算書では、選択された載置架台、設置条件としての耐震クラスと室外機を設置する階数、載置架台を固定するアンカーボルトの種類や材質、ボルト径を入力して計算を実行すると、ボルトの許容度（短期許容日引抜荷重、短期せん断荷重、短期許容引張り荷重）が演算され、演算結果が数値とともに合格、不合格で示されるようになっている。
【００２８】
なお、上述した防振計算書や耐震計算書の様式は一例に過ぎず、本発明がこの様式に限定されるものでないことはいうまでもない。
【００２９】
さらに、マッチング結果フォーマット８００には、載置架台代金、納品費用、消費税、総合計額等が代金表示部８８０に表示される。
なお、前記納品費用は、納品すべき載置架台の台数や納品予定日、納品場所に基づいて計算された送料や梱包代の合計額となる。
【００３０】
前記マッチング結果フォーマット８００には上記の表示以外に、購入する又は購入しないを選択する選択部８９０がある。
この選択部８９０において購入が選択された場合には、演算部１３０は入力フォーマット７００のＩＤ入力部７１０で入力されたユーザーを特定するＩＤに基づいて、特定されたユーザーに対して選定された載置架台の納入仕様書９００を作成する。
【００３１】
この納品仕様書９００は、例えば図４に示すように、納品仕様書９００が作成された年月日を示す日付欄９１０、ＩＤに基づいて特定されたユーザーの名称を示すユーザー名表示部９２０の他、選択された載置架台の品番を表示する架台品番表示部９３０又は製品名を表示する架台製品名表示部９４０、納品すべき載置架台の台数を示す納品台数表示部９５０、納品予定日を示す納品予定日表示部９６０、納品場所を示す納品場所表示部９７０、載置架台代金、納品費用、消費税、総合計額等を示す代金表示部９８０がある。
なお、前記納品費用は、納品すべき台数や納品予定日、納品場所に基づいて計算された送料や梱包代の合計額となる。
【００３２】
なお、上述した説明は一例であって、入力フォーマット７００において、ユーザーがＢ社の品番Ｂ２Ｈに対応した平置きタイプの載置架台を要求した場合には、マッチング結果フォーマット８００では架台品番としてはＸＢ２Ｈが特定されるようになる。
また、入力フォーマット７００において、ユーザーがＣ社の品番Ｃ５Ｈに対応した傾斜面設置タイプの載置架台を要求した場合には、マッチング結果フォーマット８００では架台品番としてはＺＣ５Ｈが特定されるようになる。
【００３３】
なお、上述した実施の形態では、入力部２１０をユーザーのコンピュータ２００としたが、専業メーカー自身のコンピュータであってもよいことはいうまでもない。
また、第１のデータベース部１１０や第２のデータベース部１２０は専業メーカーのコンピュータ１００に含まれるとしたが、いわゆるクラウド上のデータベースを使用してもよいこともいうまでもない。
【符号の説明】
【００３４】
１１０    第１のデータベース部
１２０    第２のデータベース部
１３０    演算部
２１０    入力部
【図１】
2020177400.tif 000003
【図２】
2020177400.tif 000004
【図３】
2020177400.tif 000005
【図４】
2020177400.tif 000006
【図５】
2020177400.tif 000007
【図６】
2020177400.tif 000008